(57)【要約】      （修正有）【課題】棚に収納した物品の出し入れに支障がなく、また収納物品の展覧を妨げないと共に、収納物品の落下を防止することができる棚の収納物品落下防止装置を得る。【解決手段】棚に収納した物品の落下を防止する落下阻止部と、落下阻止部の少なくとも一端に取り付けられた腕部４−１と、腕部の少なくとも一部が錘部４−３からなる落下防止手段部を有し、棚装置の少なくとも一面に取り付けられた支持部５とからなり、落下防止手段の落下阻止部は、一定以上の震動が発生する前は収納物品の出し入れに影響のない位置に存在し、一定以上の震動が発生するとこの震動による慣性で落下阻止部が棚の前面に収納した物品出し入れ面に移動して棚に収納した物品の落下を防止する。【選択図】図２
2007082689.tif 000002
【特許請求の範囲】
【請求項１】
物品の販売及び展示目的の棚において、棚に収納した物品が棚からの落下を防ぐ落下阻止部と、落下阻止部の少なくとも一端に取り付けられた腕部と、腕部の一部である錘部からなる落下防止手段部を有し、前記棚のいずれかの面に支持部を備え、前記落下防止手段部が回転可能とする、前記支持部と連結する連結手段を備え、前記落下防止手段部の重心位置を回転軸中心線より反落下阻止部側にすることにより、係止手段を用いることなく落下防止手段部を格納し、一定以上の震動が発生する前は、前記落下阻止部は収納物品の出し入れに影響のない位置に存在し、一定以上の震動が発生するとこの震動による慣性により、前記落下防止手段部が、前記回転軸を中心に付勢手段を用いることなく回転し、前記落下阻止部が棚の前面である収納物品出し入れ面に移動して棚に収納した物品の落下を防止することを特徴とする棚の収納物品落下防止装置。
【請求項２】
請求項1記載の棚の収納物品落下防止装置において、前記落下防止手段部と前記支持部の連結した前記回転軸部を反落下阻止部側に移動可能な連結手段を備えることで、請求項１記載の振動による慣性が反対方向に作用する慣性においても前記回転軸部が移動し、前記落下防止手段部の回転を妨げることなく、前記落下阻止部が棚の前面の収納物品出し入れ面に回転移動して棚に収納した物品の落下を防止することを特徴とする棚の収納物品落下防止装置。
【請求項３】
請求項１及び請求項２記載の棚の収納物品落下防止装置において、棚の前面の収納物品出し入れ面に、前記落下阻止部と上部棚との間に落下阻止幕を形成すべく、前記落下阻止幕の一端を落下阻止部に、他の一端を前記上部棚に係止して、前記落下防止手段部が振動による作動前にあっては落下阻止部と前記上部棚の間に巻き取り手段または折りたたみ手段により格納されており、振動による作動後にあっては、棚の前面の収納物品出し入れ面に前記落下阻止部の移動と同時に前記落下阻止幕が形成されることを特徴とする棚の収納物品落下防止装置。
【請求項４】
請求項１乃至３記載の棚の収納物品落下防止装置において、前記回転軸部にワンウェイクラッチ機構を備え、前記振動による前記落下防止手段部が回転作動後にあっても、振動及び収納物品の影響で前記落下阻止部が逆戻作動しないことを特徴とする棚の収納物品落下防止装置。
【発明の詳細な説明】
【技術分野】
【０００１】
本発明は、地震などの振動による棚に収納された物品の落下防止に関するものである。
【背景技術】
【０００２】
棚に収納した物品の落下防止装置には多数の技術が存在しているが、簡易的な技術はいずれも振動を感知する振動感知部と落下を阻止する動作部が複雑な機構を有し、機械的及び電気的伝達が作動遅れを生じ実用上不十分であった。
【０００３】
しかも、棚に収納する物品全ての落下防止を期待する装置の技術では機械的及び機能的に過剰な装置となっていたため産業上利用するには至っていないという欠点があった。
【０００４】
一般的に、棚に収納する物品全ての落下防止を期待する装置は高価となり、商品の展示及び販売などに使用する開放的な棚へ設置するのは本来の使用法ではない。
【０００５】
この改善策として、簡便な構造でしかも機械的作動の遅れが少なく、しかも安価に棚に収納した物品の落下防止方法を提供する装置である。
【特許文献１】特開２００１−８７６０号公報
【特許文献２】特開Ｈ４−５０３７０９号公報
【発明の開示】
【発明が解決しようとする課題】
【０００６】
解決しようとする問題点は、従来の簡便な機構の装置では地震の振動を感知して反応後の作動が遅く、棚に収納した物品の落下防止が十分にできない点である。
【課題を解決するための手段】
【０００７】
本発明は、概装置に具備されている落下阻止部及び腕部及び錘部からなる落下防止手段部自身が地震などの振動を感知して、落下防止手段部の自重の慣性により付勢手段を用いなくとも作動し、落下阻止部が棚の前面である収納物品出し入れ面に移動することで、棚に収納した物品の落下を防止できる装置であり、概装置の構造上の形状及び支持部に設けられた支点となる回転中心軸の位置が最も主要な特徴とする。
【発明の効果】
【０００８】
本発明の棚の収納物品落下防止装置は安価に製造でき、また既設の棚にも比較的容易に付加することができ、また地震の振動に反応と同時に作動するという利点がある。
【発明を実施するための最良の形態】
【０００９】
落下阻止部及び腕部及び錘部及び支点部からなる落下防止手段部自身の自重により地震の振動を感知し、棚に収納した物品の落下を防止のために感知と動作する部位が同一構造上にあり、独立した感知部及び付勢手段となる動力などを使用しない簡便な機構でありながら実効果を損なわずに実現した。
【実施例１】
【００１０】
図１は、本発明装置の斜視図であって、振動を感知する前の静止した状態の図であり、詳細を図示する目的で、上部棚１を分離した図とした。
【００１１】
棚を支える棚背面支柱部３に、支持部５を上部棚１と下部棚２の中間位置に備える。
【００１２】
図２は、本発明装置の側面図であって、棚背面支柱部３に支持部５を備え、落下防止手段部４-１の重心位置が背面方向側になるように設置し、落下防止手段部４-１が棚背面支柱部３に、上部支点部７にて接し安定した状態で静止することを示した図である。
【００１３】
図３は、前記図２側面図の構造物を線で示し、概装置作動の説明図としたものであり、錘部４-３を示し、落下防止手段部４-１の重心位置が前面側支点中心線Ｃ-1より、棚の背面方向にあることを示した図である。
【００１４】
図４は、前記図３に示した図の説明から、棚装置に対して、前後方向の振動が棚前面方向から棚背面方向へ揺れた場合においては、落下防止手段部４-１の重心位置が振動による慣性により、前面側支点中心線Ｃ-1より棚前面側に移動し、棚の前面に落下阻止部４-２が移動したことを示した図である。
【００１５】
図５は、本発明装置の請求項２の概装置作動の説明図としたもので、構造物を線で示した図であり、棚装置に対して、前後方向の振動が棚背面方向から棚前面方向へ揺れた場合においては、落下防止手段部４-１を棚背面方向側に移動させる慣性が作用するが、棚背面支柱部３に接する上部支点部７を支点に、落下防止手段部４-１の前面側支点６-１が支点移動用案内部５-１に案内され、前面側支点中心線C-１が背面側支点中心線C-２に移動し、背面側支点６-２となることを示した図である。
【００１６】
図６は、前記図５の説明の概装置作動後に、背面側支点６-２を支点に、落下防止手段部４-１が自重により棚前面方向側に倒れこむように作動し、棚前面に落下阻止部４-２が移動し棚の収納物品が落下しないことを示した図である。
【００１７】
図示は無いが、落下阻止部４-２はその後の振動により前記図４の説明の位置に可動する。
【００１８】
図７は、本発明装置の請求項３の概装置作動の説明図としたもので、構造物を線で示した図であり、落下防止手段部４-１の作動は前記図４及び図５及び図６の説明と同様であるが、落下阻止部４-１の落下阻止幕係止部９と上部棚落下阻止幕係止部１０に落下阻止幕８の端部をそれぞれ係止して、落下阻止部４-２と上部棚１の間に落下阻止幕８を折りたたみ手段で収納した状態を示した図でる。
【００１９】
図８は、前記図７の説明で、落下防止手段部４-１の作動は前記図４及び図５及び図６の説明と同様に作動後の図であり、棚前面に落下阻止部４-２と落下阻止幕８が備えられ棚の収納物品が落下しないことを示した図である。
【産業上の利用可能性】
【００２０】
前記落下防止手段部４-１を振動により移動させることで棚に収納した物品の落下を防止する効果がある。
【００２１】
作動原理を簡素化しながら最大の効果を得ることで、前面開放型の棚において設備費用の軽減と地震対策に不可欠な用途に適用できる。
【図面の簡単な説明】
【００２２】
【図１】は実施例の斜視図であり、上部棚を分離図示し、詳細を示す。
【図２】は実施例の側面図である。
【図３】は実施例の構造物を線で示した説明図であり、概装置作動前の静止状態を示す。
【図４】は実施例の構造物を線で示した説明図であり、概装置作動後の状態を示す。
【図５】は実施例の構造物を線で示した説明図であり、請求項２記載の概装置作動始めの状態を示す。
【図６】は実施例の構造物を線で示した説明図であり、請求項２記載の概装置作動後の状態を示す。
【図７】は実施例の構造物を線で示した説明図であり、請求項３記載の落下阻止幕を備え、概装置作動前の格納状態を示す。
【図８】は実施例の構造物を線で示した説明図であり、請求項３記載の落下阻止幕を備え、概装置作動後の状態を示す。
【符号の説明】
【００２３】
１    上部棚部
２    下部棚部
３    棚背面支柱部
４    落下防止手段部
４-１腕部
４-２落下阻止部
４-３錘部
５    支持部
５-１支点移動用案内部
６    支点部
６-１前面側支点部
６-２背面側支点部
７    上部支点部
８    落下阻止幕
９    落下阻止部落下阻止幕係止部
１０  上部棚落下阻止幕係止部
C-１前面側支点中心線
C-２背面側支点中心線
【図１】
2007082689.tif 000003
【図２】
2007082689.tif 000004
【図３】
2007082689.tif 000005
【図４】
2007082689.tif 000006
【図５】
2007082689.tif 000007
【図６】
2007082689.tif 000008
【図７】
2007082689.tif 000009
【図８】
2007082689.tif 000010